(57)【要約】【課題】カラー画像の強調させたい部分をより反映させたモノクロ画像を生成する。【解決手段】モノクロ印刷が指示された場合に、単色化フィルターとして赤色強調フィルターが選択されたときには（Ｓ１２０，Ｓ１３０）、標準よりも赤色が濃く黒色が淡くなるよう式｛Ｙ＝−０．２５・Ｒ＋０．８６・Ｇ＋０．１４・Ｂ＋０．２５｝の単色化フィルターを用いてモノクロ画像に変換し（Ｓ１５０）、変換したモノクロ画像に基づいて印刷を行なう（Ｓ１６０〜Ｓ１８０）。これにより、カラー画像中のユーザーが強調させたい部分をより確実に反映させたモノクロ画像を生成することができる。【選択図】図２
2011147015.tif 000002
【特許請求の範囲】
【請求項１】
画像を出力する画像出力装置であって、
複数色で画像が表現されたカラー画像を取得するカラー画像取得部と、
前記取得されたカラー画像の所定色の部分がカラー画像の黒色の部分よりも濃色となるよう定めた所定色強調用の第１の重み付け係数を用いて各色成分の階調値を重み付けして加算することにより単色化したモノクロ画像を生成するモノクロ画像生成部と、
前記生成されたモノクロ画像を出力するモノクロ画像出力部と、
を備える画像出力装置。
【請求項２】
請求項１記載の画像出力装置であって、
前記複数色は、赤色と緑色と青色の３色であり、
前記モノクロ画像生成部は、前記モノクロ画像の階調値をＹとし、前記カラー画像の赤色の階調値をＲとし、前記カラー画像の緑色の階調値をＧとし、前記カラー画像の青色の階調値をＢとし、ｒ，ｇ，ｂ，αを定数とした場合に、前記モノクロ画像の階調値を式Ｙ＝ｒ・Ｒ＋ｇ・Ｇ＋ｂ・Ｂ＋αにより演算し、
前記演算によってＹが下限値以下となった場合にはＹを前記下限値とすることと、Ｙが上限値以上となった場合にはＹを前記上限値とすることとの少なくともいずれかを実行する
画像出力装置。
【請求項３】
請求項２記載の画像出力装置であって、
前記Ｒ，Ｇ，Ｂ，Ｙは、それぞれ最小値が値０で最大値が値１となり、
Ｒ＝Ｇ＝Ｂ＝０やＹ＝０が黒色で、Ｒ＝Ｇ＝Ｂ＝１やＹ＝１が白色となるよう正規化した場合に、前記定数αは黒色の淡色化に応じて値０よりも大きく値１よりも小さな値に定められ、前記定数ｒ，ｇ，ｂ，αの総和が値１となり、且つ、前記定数ｒ，ｇ，ｂのうち強調する色に対応する定数は負の値に定められてなる
ことを特徴とする画像出力装置。
【請求項４】
前記所定色は、赤色である請求項１ないし３いずれか１項に記載の画像出力装置。
【請求項５】
請求項１ないし４いずれか１項に記載の画像出力装置であって、
前記モノクロ画像生成部は、前記所定色強調用の第１の重み付け係数を用いて各色成分の階調値を重み付けして加算することにより単色化したモノクロ画像を生成する第１のモノクロ画像生成部と、前記第１の重み付け係数とは異なる非所定色強調用の第２の重み付け係数を用いて各色成分の階調値を重み付けして加算することにより単色化したモノクロ画像を生成する第２のモノクロ画像生成部とを少なくとも有し、
ユーザーの指示に基づいていずれの重み付け係数を用いるかを選択する選択部を更に備え、
前記モノクロ画像生成部は、前記選択部で選択された重み付け係数を用いてモノクロ画像を生成する
画像出力装置。
【請求項６】
前記画像出力部は、前記生成されたモノクロ画像を印刷する部である請求項１ないし５いずれか１項に記載の画像出力装置。
【請求項７】
コンピュータを、請求項１ないし６いずれか１項に記載の画像出力装置として機能させるためのプログラム。
【請求項８】
モノクロ画像を製造するモノクロ画像製造方法であって、
（ａ）複数色で画像が表現されたカラー画像を取得し、
（ｂ）前記取得されたカラー画像の所定色の部分がカラー画像の黒色の部分よりも濃色となるよう所定色強調用の第１の重み付け係数を用いて各色成分の階調値を重み付けして加算することにより単色化したモノクロ画像を生成する
モノクロ画像製造方法。
【発明の詳細な説明】
【技術分野】
【０００１】
本発明は、画像を出力する画像出力装置およびコンピューターを画像出力装置として機能させるためのプログラム並びにモノクロ画像製造方法に関する。
【背景技術】
【０００２】
従来、この種の画像出力装置としては、デジタルカメラにより撮影された１画素にＲＧＢ等の複数色成分を有する画像であるカラー画像の各画素について各色の階調値を重み付けして加算することにより１画素にＹ等の単色成分のみを有する画像であるモノクロ画像を生成するものが提案されている（例えば、特許文献１参照）。この装置では、ディスプレー上にグリーンフィルターやイエローフィルター，オレンジフィルター，レッドフィルター，フィルター無しの各項目を表示して使用するフィルターの選択を受け付け、選択されたフィルターに対応する重み付けによりカラー画像からモノクロ画像に変換している。
【先行技術文献】
【特許文献】
【０００３】
【特許文献１】特開２００５−２６０５０４号公報
【発明の概要】
【発明が解決しようとする課題】
【０００４】
しかしながら、上述したフィルターでは、いずれも黒色が最も強調される色となるため、必ずしもユーザーの意図に適合したモノクロ画像を生成することができない場合が生じる。例えば、重要と考える文字を赤色で記すと共にその他の文字を黒色で記したカラー原稿をモノクロ変換する場合を考えると、上述したいずれのフィルターを適用するものとしても、モノクロ変換した原稿は黒字は濃く赤字は黒字と同じ濃さか黒字よりも淡くなるため、重要な文字の方が淡くなってしまう。
【０００５】
本発明の画像出力装置およびプログラム並びにモノクロ画像製造方法は、カラー画像の強調させたい部分をより適切に反映させたモノクロ画像を生成することを主目的とする。
【０００６】
本発明の画像出力装置およびプログラム並びにモノクロ画像製造方法は、上述の主目的を達成するために以下の手段を採った。
【課題を解決するための手段】
【０００７】
本発明の画像出力装置は、
画像を出力する画像出力装置であって、
複数色で画像が表現されたカラー画像を取得するカラー画像取得部と、
前記取得されたカラー画像の所定色の部分がカラー画像の黒色の部分よりも濃色となるよう定めた所定色強調用の第１の重み付け係数を用いて各色成分の階調値を重み付けして加算することにより単色化したモノクロ画像を生成するモノクロ画像生成部と、
前記生成されたモノクロ画像を出力するモノクロ画像出力部と、
を備えることを要旨とする。
【０００８】
この本発明の画像出力装置では、複数色で画像が表現されたカラー画像を取得し、取得したカラー画像の所定色の部分がカラー画像の黒色の部分よりも濃色となるよう所定色強調用の第１の重み付け係数を用いて各色成分の階調値を重み付けして加算することにより単色化したモノクロ画像を生成し、生成したモノクロ画像を出力する。これにより、所定色強調用の重み付け係数を用いて、カラー画像の強調させたい部分をより適切に反映させたモノクロ画像を生成することができる。ここで、所定色には、赤色が含まれる。また、前記画像出力部は、前記生成されたモノクロ画像を印刷する部であるものとすることもできる。
【０００９】
こうした本発明の画像出力装置において、前記複数色は、赤色と緑色と青色の３色であり、前記モノクロ画像生成部は、前記モノクロ画像の階調値をＹとし、前記カラー画像の赤色の階調値をＲとし、前記カラー画像の緑色の階調値をＧとし、前記カラー画像の青色の階調値をＢとし、ｒ，ｇ，ｂ，αを定数とした場合に、前記モノクロ画像の階調値を式Ｙ＝ｒ・Ｒ＋ｇ・Ｇ＋ｂ・Ｂ＋αにより演算し、前記演算によってＹが下限値以下となった場合にはＹを前記下限値とすることと、Ｙが上限値以上となった場合にはＹを前記上限値とすることとの少なくともいずれかを実行するものとすることもできる。この態様の本発明の画像出力装置において、前記Ｒ，Ｇ，Ｂ，Ｙは、それぞれ最小値が値０で最大値が値１となり、Ｒ＝Ｇ＝Ｂ＝０やＹ＝０が黒色で、Ｒ＝Ｇ＝Ｂ＝１やＹ＝１が白色となるよう正規化した場合に、前記定数αは黒色の淡色化に応じて値０よりも大きく値１よりも小さな値に定められ、前記定数ｒ，ｇ，ｂ，αの総和が値１となり、且つ、前記定数ｒ，ｇ，ｂのうち強調する色に対応する定数は負の値に定められてなるものとすることもできる。
【００１０】
また、本発明の画像出力装置において、前記モノクロ画像生成部は、前記所定色強調用の第１の重み付け係数を用いて各色成分の階調値を重み付けして加算することにより単色化したモノクロ画像を生成する第１のモノクロ画像生成部と、前記第１の重み付け係数とは異なる非所定色強調用の第２の重み付け係数を用いて各色成分の階調値を重み付けして加算することにより単色化したモノクロ画像を生成する第２のモノクロ画像生成部とを少なくとも有し、ユーザーの指示に基づいていずれの重み付け係数を用いるかを選択する選択部を更に備え、前記モノクロ画像生成部は、前記選択部で選択された重み付け係数を用いてモノクロ画像を生成するものとすることもできる。こうすれば、ユーザーの選択により所定色を強調させたり強調させなかったりすることができる。
【００１１】
本発明のプログラムは、コンピューターを上述したいずれかの本発明の画像出力装置として機能させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをコンピュータに実行させれば、上述した画像出力装置と同様の効果を得ることができる。
【００１２】
本発明のモノクロ画像製造方法は、
モノクロ画像を製造するモノクロ画像製造方法であって、
（ａ）複数色で画像が表現されたカラー画像を取得し、
（ｂ）前記取得されたカラー画像の所定色の部分がカラー画像の黒色の部分よりも濃色となるよう所定色強調用の第１の重み付け係数を用いて各色成分の階調値を重み付けして加算することにより単色化したモノクロ画像を生成する
ことを要旨とする。
【００１３】
この本発明のモノクロ画像製造方法によれば、複数色で画像が表現されたカラー画像を取得し、取得したカラー画像の所定色の部分がカラー画像の黒色の部分よりも濃色となるよう所定色強調用の第１の重み付け係数を用いて各色成分の階調値を重み付けして加算することにより単色化したモノクロ画像を生成する。これにより、所定色強調用の重み付け係数を用いて、カラー画像の強調させたい部分をより適切に反映させたモノクロ画像を生成することができる。
【図面の簡単な説明】
【００１４】
【図１】本実施形態のマルチファンクションプリンター２０の概略構成図。
【図２】印刷処理ルーチンの一例を示すフローチャート。
【図３】単色化フィルター選択画面５０の一例を示す説明図。
【図４】赤色強調フィルターを適用した後のモノクロ画像の一例を示す説明図。
【発明を実施するための形態】
【００１５】
次に、本発明の実施の形態を図面を用いて説明する。図１は、本発明の一実施形態であるマルチファンクションプリンター２０の構成の概略を示す構成図である。本実施形態のマルチファンクションプリンター２０は、着色剤としてインクを記録紙Ｓに吐出することにより印刷を行なうプリンターユニット３０と、原稿台に載置された原稿を光学的に読み取って画像データを生成するスキャナーユニット３５と、メモリーカードスロット２８ａに挿入されたメモリーカードＭＣとの間でデータの入出力を司るメモリーカードコントローラー２８と、ユーザーによる各種操作が可能な操作パネル４０と、装置全体の制御を司るメインコントローラー２１とを備える。
【００１６】
プリンターユニット３０は、プリンターＡＳＩＣ３２とプリンターエンジン３４とを備える。プリンターＡＳＩＣ３２は、プリンターエンジン３４を制御する集積回路であり、メインコントローラー２１から印刷指令を受けると、印刷指令の対象となる画像ファイルに基づいて記録紙Ｓに画像を印刷するようプリンターエンジン３４を制御する。プリンターエンジン３４は、印刷ヘッドから用紙へインクを吐出することにより印刷を行なう周知のインクジェット方式のカラープリンター機構として構成されている。なお、ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略である。
【００１７】
スキャナーユニット３５は、スキャナーＡＳＩＣ３６とスキャナーエンジン３８とを備える。スキャナーＡＳＩＣ３６は、スキャナーエンジン３８を制御する集積回路であり、メインコントローラー２１からのスキャン指令を受けると、原稿台に載置された原稿を画像データとして読み取るようスキャナーエンジン３８を制御する。また、スキャナーエンジン３８は、周知のイメージスキャナーとして構成され、原稿に向かって発光したあとの反射光をレッド（Ｒ）、グリーン（Ｇ）、ブルー（Ｂ）の各色に分解してスキャンデータとする周知のカラーイメージセンサーを備える。
【００１８】
メモリカードコントローラ２８は、操作パネル４０の横に配置されたメモリカードスロット２８ａに挿入されたメモリカードＭＣとの間でデータの入出力を行うものである。このメモリカードコントローラ２８は、メモリカードスロット２８ａにメモリカードＭＣが挿入されているときに、メモリカードＭＣに保存されているファイルを読み出してメインコントローラ２１に送信したりメインコントローラ２１からの命令を入力し該命令に基づいてメモリカードＭＣにデータを書き込んだりする。
【００１９】
操作パネル４０は、表示部４２とボタン類４４とを備える。表示部４２は、液晶ディスプレイであり、メニューの選択や設定を行なう各種操作画面などが表示される。また、ボタン類４４は、電源をオンオフするための電源ボタン４４ａや印刷やコピーの開始を指示するスタートボタン４４ｂ，各種印刷設定やコピー設定を行なうための設定ボタン４４ｃ，各種モードを選択するモード選択ボタン４４ｄ，各種項目や設定を選択するための上下左右の矢印キー４４ｅ，選択した設定を有効にするためのＯＫボタン４４ｆ，ひとつ前の画面に戻る戻るボタン４４ｇなどがあり、内部通信インタフェース２５を介してメインコントローラ２１にユーザの指示を入力できるようになっている。ここで、モード選択ボタン４４ｅにより選択可能なモードとしては、原稿台に載置した原稿をスキャンしてコピーするコピーモードやメモリカードＭＣに記憶された画像を用いて印刷したり原稿をスキャンしてデータ化してメモリカードＭＣに保存するメモリカードモード，写真フィルムをスキャンして印刷したりデータをメモリカードＭＣに保存したりするフィルムモードなどがある。
【００２０】
メインコントローラ２１は、ＣＰＵ２２を中心とするマイクロプロセッサとして構成されており、各種処理プログラムや各種データ、各種テーブルなどを記憶したＲＯＭ２３と、一時的にスキャンデータや印刷データを記憶するＲＡＭ２４と、操作パネル４０との通信を可能とする内部通信インタフェース２５とを備え、これらはバス２６を介して互いに信号のやり取りが可能なように接続されている。メインコントローラ２１は、プリンタユニット３０やスキャナユニット３５，メモリカードコントローラ２８からの各種動作信号や各種検出信号を入力したり、操作パネル４０のボタン類４４の操作に応じて発生する操作信号を入力したりする。また、メモリカードＭＣから画像ファイルを読み出してメインコントローラ２１へ出力する指令をメモリカードコントローラ２８に出力したり、画像データの印刷を実行するようプリンタユニット３０に指令を出力したり、操作パネル４０のボタン類４４のスキャン指令に基づいて原稿台に載置された原稿を画像データとして読み取るようスキャナユニット３５に指令を出力したり、操作パネル４０に表示部４２の制御指令を出力したりする。
【００２１】
次に、こうして構成された本実施形態のマルチファンクションプリンタ２０の動作、特に、カラー画像をモノクロ画像に変換して印刷する際の動作について説明する。図２は、メインコントローラ２１により実行される印刷処理ルーチンの一例を示すフローチャートである。この処理は、例えば、モード選択ボタン４４ｅによりメモリーカードモードが選択され、設定ボタン４４ｃによりモノクロ印刷が指定されている状態で図示しない写真選択画面上で矢印キー４４ｅやＯＫボタン４４ｆの操作によりメモリーカードＭＣに保存されている画像ファイルの中から選択された画像ファイルの印刷が指示されたときに実行される。
【００２２】
印刷処理ルーチンが実行されると、メインコントローラー２１のＣＰＵ２２は、まず、選択されたカラー画像（ＲＧＢデータ）をメモリーカードＭＣから読み出すと共に（ステップＳ１００）、印刷モード選択画面を表示してユーザーによる印刷モードの選択を受け付ける（ステップＳ１１０）。本実施形態では、カラー印刷を行なうカラーモードとモノクロ印刷を行なうモノクロモードのいずれかのモードの選択を受け付けるカラー選択画面を表示し、カラー選択画面上でモノクロモードが選択されたときにはさらに単色化に用いる単色化フィルターの選択を受け付けるフィルター選択画面５０に遷移するようになっている。図３に、フィルター選択画面５０の一例を示す。フィルター選択画面５０では、図示するように、選択できる単色化フィルターとして、「標準フィルター」と、標準フィルターよりも赤色を濃く黒色を淡くする「赤色強調フィルター」とが用意されており、矢印キー４４ｅの上下キーによりカーソル５２を希望するフィルターに移動させ、ＯＫボタン４４ｆを押すことにより選択することができる。こうした各種選択を受け付けた後、モノクロモードが選択されたか否か（ステップＳ１２０）、モノクロモードが選択されたときには赤色強調モードが選択されたか否か（ステップＳ１３０）をそれぞれ判定する。モノクロモードが選択され且つ標準フィルターが選択されると、次式（１）により画素毎に階調値を設定することによりモノクロ画像を生成して（ステップＳ１４０）、生成したモノクロ画像に基づいてプレビュー表示する（ステップＳ１６０）。一方、モノクロモードが選択され且つ赤色強調フィルターが選択されると、次式（２）により画素毎に階調値を設定することによりモノクロ画像を生成し（ステップＳ１５０）、生成したモノクロ画像に基づいてプレビュー表示する（ステップＳ１６０）。ここで、式中の「Ｙ」はモノクロ画像の輝度の階調値であり、「Ｒ」はカラー画像の赤色の階調値であり、「Ｇ」はカラー画像の緑色の階調値であり、「Ｂ」はカラー画像の青色の階調値である。また、階調値Ｒ，Ｇ，Ｂは、それぞれ最小値を値０とし最大値を値１となるよう正規化しており、（１，１，１）は白色を示し、（０，０，０）は黒色を示す。また、モノクロ画像の輝度の階調値Ｙも正規化しており、値１が白色を示し、値０が黒色を示す。いま、「ｒ」を赤色の重み付け係数とし、「ｇ」を緑色の重み付け係数とし、「ｂ」を青色の重み付け係数とし、「α」を第４の階調値とすると、モノクロ画像の階調値Ｙは、次式（３）により示すことができる。このとき、黒色を淡くするためには、Ｒ，Ｇ，Ｂのすべてが値０のときにモノクロ画像の階調値Ｙが値０よりも大きくなるよう第４の階調値αを値０よりも大きくすればよく、赤色を濃くするためには、重み付け係数ｒ，ｇ，ｂと第４の階調値αの総和が値１をとる範囲内で赤色の階調値Ｒのモノクロ画像の階調値Ｙへの影響が小さくなるよう赤色の重み付け係数ｒをできる限り小さくすればよい。上述した式（２）は、赤色の重み付け係数ｒと第４の階調値αとの和が値０となる条件と、標準フィルターにおける重み付け係数の比率（ｒ：ｇ：ｂ＝３：６：１）に応じて緑色の重み付け係数ｇが青色の重み付け係数ｂの約６倍と���る条件（ｇ＝６・ｂ）と、第４の階調値αが値０．２５となる条件とを満たすよう各重み付け係数ｒ，ｇ，ｂを定めることにより得ることができる。なお、Ｙが１以上の値になった場合にはＹ＝１とし、Ｙが０以下の値となった場合にはＹ＝０とする。また、ステップＳ１２０でモノクロモードでない、即ちカラーモードと判定されると、読み出したＲＧＢデータに基づいてカラー画像のプレビュー表示を行なう（ステップＳ１６０）。
【００２３】
Y=0.30・R+0.59・G+0.11・B         …(1)
Y=-0.25・R+0.86・G+0.14・B+0.25    …(2)
Y=r・R+g・G+b・B+α             …(3)
こうしてプレビュー表示を行なうと、ＯＫボタン４４ｆが押されるのを待ち（ステップＳ１７０）、ＯＫボタン４４ｆが押されたときに、生成した画像に基づいて印刷が実行されるようプリンターＡＳＩＣに印刷指令を出力して（ステップＳ１８０）、本ルーチンを終了する。
【００２４】
図４は、赤色強調フィルターを適用した後のモノクロ画像の一例を示す。いま、重要な項目を赤字で記したカラー原稿をモノクロ印刷する場合を考える。この場合、カラー原稿に標準フィルターを適用してモノクロ印刷したときには、赤字の部分が黒字の部分よりも淡く表示されるため、重要な部分の方がそれ以外の部分よりも見づらくなるが（図４（ａ）参照）、カラー原稿に赤字強調フィルターを適用してモノクロ印刷したときには、標準フィルターよりも赤字の部分が濃くなり、黒字の部分が淡くなるから、重要な部分が見やすくなることがわかる（図４（ｂ）参照）。
【００２５】
ここで、本実施形態の構成要素と本発明の構成要素との対応関係を明らかにする。本実施形態の図２のモノクロ印刷処理ルーチンのステップＳ１００を実行するメインコントローラー２１が本発明の「カラー画像取得部」に相当し、ステップＳ１１０〜Ｓ１５０の処理を実行するメインコントローラー２１が「モノクロ画像生成部」に相当し、ステップＳ１８０の処理を実行するメインコントローラー２１とプリンターＡＳＩＣ３２とが「モノクロ画像出力部」に相当する。なお、本実施形態では、マルチファンクションプリンター２０の動作を説明することにより本発明のモノクロ画像製造方法の一例も明らかにしている。
【００２６】
以上説明した本実施形態のマルチファンクションプリンター２０によれば、モノクロ印刷が指示された場合に、単色化フィルターとして赤色強調フィルターが選択されたときには標準よりも赤色が濃く黒色が淡くなるよう式（２）｛Ｙ＝−０．２５・Ｒ＋０．８６・Ｇ＋０．１４・Ｂ＋０．２５｝の単色化フィルターを用いてモノクロ画像に変換し、変換したモノクロ画像に基づいて印刷を行なうから、カラー画像中のユーザーが強調させたい部分をより確実に反映させたモノクロ画像を生成することができる。
【００２７】
上述した実施形態では、単色化フィルターの一つとして赤色を黒色よりも強調させる赤色強調フィルターを用意するものとしたが、これに限られず、所定色を黒色よりも強調させる単色化フィルターであれば、例えば、緑色を黒色よりも強調させる緑色強調フィルターを用意するものとしてもよいし、青色を黒色よりも強調させる青色強調フィルターを用意するものとしてもよいし、その他の色を強調するフィルターを用意するものとしてもよい。緑色強調フィルターの場合は、例えば、次式（４）の単色化フィルターを用いることができ、青色強調フィルターの場合、例えば、次式（５）の単色化フィルターを用いることができる。なお、式（４）は、緑色の重み付け係数ｇと第４の階調値αとの和が値０となる条件と、標準フィルターにおける重み付け係数の比率（ｒ：ｇ：ｂ＝３：６：１）に応じて赤色の重み付け係数ｒが青色の重み付け係数ｂの約３倍となる条件（ｒ＝３・ｂ）と、第４の階調値αが値０．２５となる条件とを満たすよう各重み付け係数ｒ，ｇ，ｂを定めることにより得ることができ、式（５）は、青色の重み付け係数ｂと第４の階調値αとの和が値０となる条件と、標準フィルターにおける重み付け係数の比率（ｒ：ｇ：ｂ＝３：６：１）に応じて緑色の重み付け係数ｇが赤色の重み付け係数ｒの約２倍となる条件（ｇ＝２・ｒ）と、第４の階調値αが値０．２５となる条件とを満たすよう各重み付け係数ｒ，ｇ，ｂを定めることにより得ることができる。なお、Ｙが１以上の値になった場合にはＹ＝１とし、Ｙが０以下の値となった場合にはＹ＝０とする。
【００２８】
Y=0.75・R-0.25・G+0.25・B+0.25    …(4)
Y=0.33・R+0.67・G-0.25・B+0.25  …(5)
上述した実施形態では、黒色を淡色化するための第４の階調値αを値０．２５に設定すると共に色の重み付け係数ｒ，ｇ，ｂのうち強調する色の重み付け係数を、第４の階調値αとの和が値１となるよう設定するものとしたが、これに限られず、如何なる値に設定するものとしても構わない。ただし、第４の階調値αは値を大きくするほど黒色が淡くなり小さくするほど黒色が濃くなり、強調する色の重み付け係数は値が小さくなるほど強調する色が濃くなる。また、各色の重み付け係数ｒ，ｇ，ｂのうち強調しない残りの色の重み付け係数は、標準フィルターにおける重み付け係数の比率をもって設定するものとしたが、必ずしも標準フィルターの比率を用いる必要はない。
【００２９】
上述した実施形態では、モードが選択された後にプレビュー画面を表示して、ユーザーに確認を行ったが、これに限られず、モード選択時にそれぞれのモードを実行した場合に印刷される画像をプレビューしてもよい。この場合、カラー画像を所定の解像度に縮小して、縮小されたカラー画像に各フィルターを用いて各フィルターに対応した縮小モノクロ画像に変換し、モード選択時にモード名とともにそのモードに対応する縮小モノクロ画像を表示するようにしてもよい。このようにすることで、ユーザーは容易に望ましいフィルターを選択することができる。なお、このときにユーザーがモードを選択した後に、上述した実施形態のようにステップＳ１２０からステップＳ１８０の処理を進めてもよいし、上述した実施形態のうちステップＳ１６０とステップＳ１７０の処理を省略するものとしてもよい。
【００３０】
上述した実施形態では、本発明をマルチファンクションプリンター２０に適用して説明したが、これに限られず、カラー画像からモノクロ画像に変換してモノクロ印刷を行なうことができるものであれば、例えば、スキャナー機能を備えないプリンターに適用するものとしてもよいし、ＦＡＸ機器に適用するものとしてもよい。
【００３１】
上述した実施形態では、本発明を画像出力装置の形態として説明したが、モノクロ画像製造方法の形態とするものとしてもよいし、コンピューターを画像出力装置として機能させるためのプログラムの形態とするものとしてもよい。
【００３２】
なお、本発明は上述した実施形態に何ら限定されることはなく、本発明の技術的範囲に属する限り種々の態様で実施し得ることはいうまでもない。
【符号の説明】
【００３３】
２０  マルチファンクションプリンター、２１  メインコントローラー、２２  ＣＰＵ、２３  ＲＯＭ、２４  ＲＡＭ、２５  内部通信インターフェース、２６  バス、２８  メモリーカードコントローラー、２８ａ  メモリーカードスロット、３０  プリンターユニット、３２  プリンターＡＳＩＣ、３４  プリンターエンジン、３５  スキャナーユニット、３６  スキャナーＡＳＩＣ、３８  スキャナーエンジン、４０  操作パネル、４２  操作部、４４  ボタン類、４４ａ  電源ボタン、４４ｂ  スタートボタン、４４ｃ  設定ボタン、４４ｄ  モード選択ボタン、４４ｅ  矢印キー、４４ｆ  ＯＫボタン、４４ｇ  戻るボタン、Ｓ  記録紙、ＭＣ  メモリーカード。
【図１】
2011147015.tif 000003
【図２】
2011147015.tif 000004
【図３】
2011147015.tif 000005
【図４】
2011147015.tif 000006